【手続補正書】
【提出日】平成19年5月18日(2007.5.18)
【手続補正１】
【補正対象書類名】明細書
【補正対象項目名】全文
【補正方法】変更
【補正の内容】
【書類名】        明細書
【発明の名称】    シートベルト用カバー
【特許請求の範囲】
【請求項１】  衣服に接する部位においてシートベルトに装着自在であって、衣服に接する面が起毛素材で形成されていることを特徴とするシートベルト用カバー。
【請求項２】  請求項１のカバーは、自動車、航空機、船舶の座席に設けられているものであることを特徴とするシートベルト用カバー。
【請求項３】  請求項１〜２の何れかに記載のカバーは、面ファスナーによりシートベルトに装着自在であることを特徴とするシートベルト用カバー。
【請求項４】  請求項１〜３の何れかに記載のカバーは、スナップによリシートベルトに装着自在であることを特徴とするシートベルト用カバー。
【請求項５】  請求項１の起毛素材は、コーデュロイのように、生地が起毛されているもの、又は編物又は起毛された編物、又は紙で形成されていることを特徴とするシートベルト用カバー。
【請求項６】  請求項１〜５の何れかに記載のカバーは、衣服に接する面またはカバー全体が起毛素材で形成されていることを特徴とするシートベルト用カバー。
【請求項７】  請求項１〜６の何れかに記載のカバーの表面には、蛍光塗料又は光線反射体又は発光体が取り付けられていることを特徴とするシートベルト用カバー。
【請求項８】  請求項１〜７の何れかに記載のカバーは、身体と接する面又はカバー全体が吸湿素材で出来ていることを特徴とするシートベルト用カバー。
【請求項９】  衣服に接する部位においてシートベルトに装着自在であって、素材が紙、又は不織布で形成されている使い捨て用のシートベルトカバー。
【発明の詳細な説明】
【０００１】
【発明の属する技術分野】
本発明は、自動車、航空機、船舶等の座席に設けられているシートベルトに装着して用いられるカバーに関するもので、更に詳しくは、シートベルトを装着したときに、特に紺地、黒地の背広の場合に、肩、襟、ポケット等の部分がすれて光るようになるのを防止するシートベルト用カバーに関するものである。
【０００２】
【従来の技術】
シートベルトは、その機能から判るように、極めて強靭な素材、例えばナイロン糸等を織り込んだ織物等で出来ており、当然のこととして硬い。このため、紺地のように、すれて光り易い生地の背広を着て運転すると、走行中の振動や身体の動きにより、シートベルトと背広がすれる肩、襟、ポケット等の部分が光るようになる。
【０００３】
また、バス、タクシー等の職業運転者の制服等の場合においては、シートベルトと制服がすれて生地が傷んで来る。
また、上記のように、生地が光る、傷むと云った問題から離れるが、シートベルトの装着は交通取締りの対象となっているが、夜間の場合には、車内が暗いために装着して運転しているか否かを識別しにくい。このため、シートベルトを装着していたか否かが争点となった際に、確かな目撃者証言が得られないことがある。
【０００４】
【発明が解決しようとする課題】
本発明の目的は、シートベルトを装着した際に、背広等の衣服がすれて光らないようにすると共に、シートベルトの装着を暗い夜間においても視認しやすいように工夫したシートベルト用カバーを提供することである。
【０００５】
【課題を解決するための手段】
上記目的を達成するため、請求項１に記載の発明においては、シートベルト用カバーにおいて、衣服に接する部位においてシートベルトに装着自在であって、衣服に接する面が起毛素材で形成されていることを特徴とするものである。
【０００６】
更に、請求項１に記載のシートベルトは、自動車、航空機、船舶の座席に設けられているものであることを特徴とするものである。
【０００７】
更に、請求項１〜２の何れかに記載のカバーは、面ファスナーによりシートベルトに装着自在であることを特徴とするものである。
【０００８】
更に、請求項１〜３の何れかに記載のカバーは、スナップによリシートベルトに装着自在であることを特徴とするものである。
【０００９】
更に、請求項１に記載の起毛素材は、コーデュロイのように、生地が起毛されているもの、又は起毛された編物、又は紙で形成されていることを特徴とするものである。
【００１０】
更に、請求項１〜５の何れかに記載のカバーは、衣服に接する面またはカバー全体が起毛素材で形成されていることを特徴とするものである。
【００１１】
更に、請求項１〜６の何れかに記載のカバーの表面には、蛍光塗料又は光線反射体又は発光体が取り付けられていることを特徴とするものである。
【００１２】
更に、請求項１〜７の何れかに記載のカバーは、身体と接する面又はカバー全体が吸湿素材で出来ていることを特徴とするものである。
【００１３】
更に、請求項９に記載の発明においては、使い捨て用のシートベルトカバーにおいて、衣服に接する部位においてシートベルトに装着自在であって、素材が紙、又は不織布で形成されていることを特徴とするものである。
【００１４】
【発明の実施の形態】
図１は、請求項１〜８に記載したシートベルト用カバーの全体を示す斜視図であって、このシートベルト用カバー１は、保形性の高い帯状の芯地本体２をその長手方向の中央に沿って２つ折り自在に形成し、２つ折りにした時に衣服側に接する面にコーデュロイ３を取り付け、長手方向端縁に近い対向面に面ファスナー５ａ、５ｂを取り付けた構成である。４は、芯地本体２であって、２つ折りした時に外側となる面に取り付けた蛍光塗料塗布地である。
【００１５】
なお、上記実施例においては、帯状の芯地本体２にコーデュロイ３を取り付けているが、この芯地本体２を無くし、コーデュロイ３全体でカバー１を形成してもよい。
また、カバー１は面ファスナー５ａ、５ｂではなく、図３に示すように、スナップ６ａ、６ｂで止めることができるようにしてもよく、このカバー１の止め方は自由である。但し、この止め方はできるだけ扱い易いことが好ましい。
【００１６】
次に、本実施例では、衣服１０と接する面にコーデュロイ３を取り付けているが、背広等のような衣服１０とすれたときに、衣服１０が光らない素材であるならば、例えば編物等であって、起毛されている素材等であっても良く、このコーデュロイ３はあくまでも一例である。また、起毛されていなくても、衣服とすれて光らさないものならば、他の素材であってもよく、起毛素材の名称は、便宜上使用しているに過ぎない。この衣服１０と接する面の素材は、吸湿性を有するものにすると、特に夏場において、薄い素材の衣服１０を着用しているときに、汗を吸収するために好ましい。このことから、カバーは、使い捨て形式であってもよい。また、例えば遊園地の乗り物用のシートベルト等の場合に、汚れがついていて、この汚れで衣服が汚れてしまうことがある。この防止のためには、衣服の汚れを防ぐために簡単に持参して使用し、あとは捨てることができる、所謂使い捨てカバーも有用である。この使い捨ての場合の素材は、紙又は不織布等の様に安価なものとし、止め方は感圧性接着剤を用いる方式が便利である。
【００１７】
芯本体２の表側には本実施例では蛍光塗料塗布地４が取り付けられているが、この蛍光塗料塗布地４は、本実施例では芯地本体２とは別地であるが、芯地本体２に直接蛍光塗料を塗布しても良い。
また、蛍光塗料に併せて、又は単独で、芯地本体２に光を反射する反射体、あるいは、図４に示すように、運転の障害とならない程度の明るさを持つ発光体８、例えばＬＥＤ等を芯地本体２、または蛍光塗料塗布地４に取り付けてもよい。このようにすると、夜間におけるシートベルト７の装着状態を外から視認しやすい。また、自動車ごと海や川に転落したような場合に、カバー１の発光体８が発光することで、夜間あるいは濁った水中において転落車の発見及び救助を素早く行うことができる。
図３はシートベルト７（肩ベルト）にカバー１を装着した状態を示すものである。なお、カバー１は、肩側ベルトに併せて、腰側ベルト９にも取り付けて使用するようにしてもよい。図４はＡ−Ａ´線断面図である。
【００１８】
【発明の効果】
本発明は以上のように、衣服とすれても光らせない素材をシートベルトに取り付けた、又は素材でシートベルト用カバーを製作したことにより、次の効果を奏する。
１．請求項１に記載の発明によると、特に、背広を来て運転するときに気を遣わなくて済  む。又、バス等の運転者においては、制服がすれて傷むこともなくなる。
２．請求項２に記載の発明によると、自動車ばかりでなく、航空機、船舶等においても有  効である。
３．請求項３、請求項４に記載の発明によると、カバーはシートベルトに対して簡単に装  着したり取り外したりすることができる。
４．請求項５、請求項６に記載の発明によると、特に起毛されている素材を用いることで  衣服の光り防止、傷め防止の効果が高くなる。
５．請求項７に記載の発明によると、シートベルトの装着状況が夜間でも良く判るため、  交通取締時に有効であると共に車が水中に転落したような場合に発見がしやすい。
６．請求項８に記載の発明によると、カバーは、衣服と接する側が吸湿性素材となってい  ることにより、汗をかき易い夏場において有効である。
７．請求項９に記載の発明によると、シートベルトの汚れが気になるときは、持参した、  又はその場で販売又はサービスとして提供を受けた使い捨て用のカバーをシートベルト  に取り付けると、シートベルトで衣服が汚れる心配がない。
８．カバーにファッション性を付与することにより、特に女性ドライバーに好まれるよう  に形成したり、カバーの一部にポケットを形成して、高速券や携帯電話を入れておくこ  とができるようにもできる。
【図面の簡単な説明】
【図１】
本発明に係るカバーの全体を示す斜視図。
【図２】
スナップをカバーに取り付けた実施例の説明図。
【図３】
自動車のシートベルトにカバーを取り付けた状態の説明図。
【図４】
Ａ−Ａ´線断面図。
【符号の説明】
１  カバー
２  芯地本体
３  コーデュロイ
４  蛍光塗料塗布地
５a、５ｂ  面ファスナー
６ａ、６ｂ  スナップ
７  シートベルト
８  発光体
９  腰ベルト
１０  衣服